(57)【要約】  把手を簡単に見つけやすく、また、指を挿入する方向が一見して分かり、さらに、引くことが直感的にわかる二つ折り扉の把手構造を提供すること。  把手構造は、第１、第２の扉体２２、２４にそれぞれ設けられた把手４０と指挿入用凹部４２とを備えている。把手４０は、第１、第２の扉体２２、２４が折曲可能に結合された外面２６Ａの一方の端面部２２０２、２４０２の近傍から他方の端面部２２０４、２４０４に向けて突出しつつ上下に延在する指掛け用板片４４を備えている。指挿入用凹部４２は、第１、第２の扉体２２，２４の外面２６Ａに、指掛け用板片４４に対向するように形成され、把手４０の内面４４０４Ａに指を掛けられる寸法で形成されている。把手４０と指挿入用凹部４２とは、それら扉体２２、２４の向かい合う端面部２２０２、２４０２を中心として左右対称の形状で形成されている。
2014033787.tif 000002
【特許請求の範囲】
【請求項１】
幅方向の両端にそれぞれ端面部を有する矩形板状の二つの扉体の一方の前記端面部どうしが折曲可能に結合され、前記一方の端面部において前記二つの扉体の厚さ方向の一方に位置する外面が山形に折れることで開口部を開放する二つ折り扉の把手構造であって、
前記一方の端面部側の前記外面の箇所にそれぞれ把手と指挿入用凹部とが設けられ、
前記把手は、前記外面の前記一方の端面部の近傍から他方の前記端面部に向けて突出しつつ上下に延在する指掛け用板片を備え、
前記指挿入用凹部は、前記指掛け用板片に対向するように前記扉体の外面に設けられ、
前記指挿入用凹部に対向する前記指掛け用板片の内面と前記指挿入用凹部の底面との間隔は、前記指掛け用板片の内面に指を掛けられる寸法で形成され、
前記扉体の外面を正面視した場合に、前記指挿入用凹部は前記指掛け用板片の輪郭の外側の箇所まで形成され、
各扉体に設けられた前記把手と前記指挿入用凹部とは、前記一方の端面部を中心として左右対称の形状で形成されている、
ことを特徴とする二つ折り扉の把手構造。
【請求項２】
前記指掛け用板片の上下端部を除いた中間部は、前記外面に対して一定の傾斜角を持って前記端面部から離れるに従い前記外面から離れ一定の幅で上下に延在する傾斜板部で形成され、前記指掛け用板片の上下端部は、前記外面と前記傾斜板部とを接続する接続板部で形成されている、
ことを特徴とする請求項１記載の二つ折り扉の把手構造。
【請求項３】
前記指掛け用板片の上下端部を除いた中間部は、前記扉体の厚さ方向に前記端面部に沿って起立する起立板部と、前記起立板部の先端から屈曲し前記外面から離れた箇所において前記外面と平行して一定の幅で上下に延在する平行板部とで形成され、前記指掛け用板片の上下端部は、前記外面と前記起立板部、前記平行板部とを接続する接続板部で形成されている、
ことを特徴とする請求項１記載の二つ折り扉の把手構造。
【発明の詳細な説明】
【技術分野】
【０００１】
本発明は、二つ折り扉の把手構造に関する。
【背景技術】
【０００２】
従来、矩形板状の二つの扉体の幅方向の一方に位置する端面部が折曲可能に結合され、それら扉体の外面が山形に折れることで開口部を開放する二つ折り扉は、例えば、航空機用化粧室ユニットの出入口に用いられている。
そして、扉体には、扉体を開閉操作するための把手が、折曲可能に結合された端面部寄りの外面の箇所に設けられている。
【先行技術文献】
【特許文献】
【０００３】
【特許文献１】特開２００９−１３７５１０
【発明の概要】
【発明が解決しようとする課題】
【０００４】
しかしながら、従来の把手構造では、二つ折り扉の折曲可能に結合された部分を押すのか引くのかが、把手を見ただけでは直感的に分かりづらい不具合があった。
また、把手の形状によっては、把手があるのか否か把手を見つけづらく、また、右利きの人や左利きの人の何れかによっては、把手に対して指を挿入する方向が一見して分からない不具合もあった。
本発明は前記事情に鑑み案出されたものであって、本発明の目的は、把手を簡単に見つけやすく、また、指を挿入する方向が一見して分かり、さらに、引くことが直感的にわかる二つ折り扉の把手構造を提供することにある。
【課題を解決するための手段】
【０００５】
前記目的を達成するため本発明は、幅方向の両端にそれぞれ端面部を有する矩形板状の二つの扉体の一方の前記端面部どうしが折曲可能に結合され、前記一方の端面部において前記二つの扉体の厚さ方向の一方に位置する外面が山形に折れることで開口部を開放する二つ折り扉の把手構造であって、前記一方の端面部側の前記外面の箇所にそれぞれ把手と指挿入用凹部とが設けられ、前記把手は、前記外面の前記一方の端面部の近傍から他方の前記端面部に向けて突出しつつ上下に延在する指掛け用板片を備え、前記指挿入用凹部は、前記指掛け用板片に対向するように前記扉体の外面に設けられ、前記指挿入用凹部に対向する前記指掛け用板片の内面と前記指挿入用凹部の底面との間隔は、前記指掛け用板片の内面に指を掛けられる寸法で形成され、前記扉体の外面を正面視した場合に、前記指挿入用凹部は前記指掛け用板片の輪郭の外側の箇所まで形成され、各扉体に設けられた前記把手と前記指挿入用凹部とは、前記一方の端面部を中心として左右対称の形状で形成されていることを特徴とする。
【発明の効果】
【０００６】
本発明によれば、二つ折り扉を構成する二つの扉体の双方に、把手と、把手の外側に拡がる指挿入用凹部とがそれぞれ設けられている。
したがって、把手を見つけやすいことは無論のこと、把手と指挿入用凹部とを一見しただけで、把手に指を掛けて引くことが直感的に判断することが可能となる。
また、各扉体に把手と指挿入用凹部とが左右対称に形成されていることから、右利きの人も左利きの人も、指を挿入する方向を一見して判断することが可能となる。
【図面の簡単な説明】
【０００７】
【図１】第１の実施の形態の二つ折り扉の把手構造が適用された航空機の化粧室ユニットの斜視図で、（Ａ）は二つ折り扉により開口部が閉塞された状態を示す図、（Ｂ）は開口部が開放された状態を示す図である。
【図２】（Ａ）は把手および指挿入用凹部部分の拡大斜視図、（Ｂ）は把手および指挿入用凹部部分の正面図である。
【図３】（Ａ）は図２（Ｂ）のＡ―Ａ線断面図、（Ｂ）は図２（Ｂ）のＢ―Ｂ線断面図である。
【図４】第２の実施の形態の二つ折り扉の把手構造が適用された航空機の化粧室ユニットの斜視図で、（Ａ）は二つ折り扉により開口部が閉塞された状態を示す図、（Ｂ）は開口部が開放された状態を示す図である。
【図５】（Ａ）は把手および指挿入用凹部部分の拡大斜視図、（Ｂ）は把手および指挿入用凹部部分の正面図である。
【図６】（Ａ）は図５（Ｂ）のＡ―Ａ線断面図、（Ｂ）は図５（Ｂ）のＢ―Ｂ線断面図である。
【発明を実施するための形態】
【０００８】
以下、本発明の実施の形態を、航空機の化粧室ユニットの出入口を構成する二つ折り扉に適用した場合について説明する。
まず、図１〜図３を参照して第１の実施の形態から説明する。
図１に示すように、化粧室ユニット１０は躯体フレーム１２を備え、躯体フレーム１２の内部に便器や手洗い器が配置されることで化粧室ユニット１０が形成されている。
躯体フレーム１２には出入口１４が設けられ、出入口１４は、開口部１６と、開口部１６を開閉する二つ折り扉１８とで構成されている。
二つ折り扉１８は、上下に縦長の矩形板状の第１の扉体２２と第２の扉体２４とで構成され、第１、第２の扉体２２、２４は、開口部１６を閉塞した状態で、化粧室ユニット１０の外側に位置する外面２６Ａと、化粧室ユニット１０の内側に位置する内面２６Ｂとを有し、外面２６Ａと内面２６Ｂは、第１、第２の扉体２２、２４の厚さ方向の両面を形成している。
【０００９】
第１の扉体２２と第２の扉体２４とは、それぞれそれらの幅方向の両端に位置して上下に延在する端面部２２０２、２２０４、２４０２、２４０４を有している。
第１の扉体２２の一方の端面部２２０２と、第２の扉体２４の一方の端面部２４０２とは、ヒンジ２８を介して折曲可能に結合され、第１、第２の扉体２２、２４の外面２６Ａが山形に折れることで開口部１６を開放するように構成されている。
一方の端面部２２０２，２４０２は、図１（Ａ）に示すように開口部１６を閉塞した状態で互いに合わされ、図１（Ｂ）で示すように、開口部１６を開放した状態で化粧室ユニット１０の外側に向けられる。
第１の扉体２２の他方の端面部２２０４は、開口部１６の一側の躯体フレーム１２部分にヒンジを介して折曲可能に結合され、第２の扉体２４の上縁部の適宜箇所は、開口部１６の上側の躯体フレーム１２部分に設けられたガイドレールに移動可能に結合されている。
第２の扉体２４の他方の端面部２４０４は、開口部１６を閉塞した状態でフレーム１２に合わされ、開口部１６を開放した状態で化粧室ユニット１０の内側に向けられる。
【００１０】
第１の実施の形態の把手構造は、二つの扉体である第１、第２の扉体２２、２４にそれぞれ設けられた把手３０と指挿入用凹部３２とを備えている。
把手３０は、一方の端面部２２０２、２４０２側の外面２６Ａの箇所にそれぞれ設けられている。
各把手３０は、外面２６Ａの一方の端面部２２０２、２４０２の近傍から他方の端面部２２０４、２４０４に向けて突出しつつ上下に延在する指掛け用板片３４を備えている。すなわち一方の端面部２２０２、２４０２の外面２６Ａ側の端部から外面２６Ａに対して斜め方向で他方の端面部２２０４、２４０４に向けて突出しつつ上下に延在する指掛け用板片３４を備えている。
より詳細に説明すると、図３（Ｂ）に示すように、指掛け用板片３４の上下端部を除いた中間部は、外面２６Ａに対して一定の傾斜角θを持ち端面部２２０２、２４０２から離れるに従い外面２６Ａから離れ一定の幅Ｗで上下に延在する傾斜板部３４０２で形成されている。
指掛け用板片３４の上下端部は、図３（Ａ）に示すように、外面２６Ａから次第に起立し傾斜板部３４０２に接続する接続板部３４０４で形成されている。なお、図１、図２において符号３４０４Ａは、接続板部３４０４が外面２６Ａから起立する始点の箇所を示している。
【００１１】
一方、指挿入用凹部３２は、第１、第２の扉体２２、２４の外面２６Ａに、指掛け用板片３４に対向するように形成されている。
指挿入用凹部３２の上下端部を除いた中間部において、指挿入用凹部３２側に位置する傾斜板部３４０２の内面３４０２Ａと指挿入用凹部３２の底面３２０２との間隔は、図３（Ｂ）に示すように、傾斜板部３４０２の内面３４０２Ａに指を挿入でき、傾斜板部３４０２の内面３４０２Ａに指を掛けられる寸法で形成されている。この場合、指を掛けられるとは、少なくとも指の先端から第２関節までの指の部分である。
指挿入用凹部３２の上下端部は、外面２６Ａから次第に窪み前記中間部に接続する形状で形成されている。なお、図中、符号３２Ａは、指挿入用凹部３２が外面２６Ａから窪み始める始点の箇所を示している。
そして、第１、第２の扉体２２、２４の外面２６Ａを正面視した場合に、図２（Ｂ）に示すように、指挿入用凹部３２は指掛け用板片３４の輪郭の外側の箇所まで形成されている。
【００１２】
把手３０と指挿入用凹部３２とは、一方の端面部２２０２、２４０２を中心として左右対称の形状で形成されている。
本実施の形態では、図１（Ａ）、図２（Ｂ）に示すように、フロアから８０ｃｍから１００ｃｍの高さＨに、３０ｃｍから４０ｃｍの長さＬで把手３０および指挿入用凹部３２が形成されている。
【００１３】
本実施の形態によれば、二つ折り扉１８を構成する第１、第２の扉体２２、２４の双方に、把手３０と、把手３０の外側に拡がる指挿入用凹部３２とがそれぞれ設けられ、しかも、把手３０は傾斜板部３４０２を有している。
したがって、把手３０を見つけやすいことは無論のこと、把手３０と指挿入用凹部３２とを一見しただけで、把手３０に指を掛けて引くことが直感的に判断することが可能となる。
また、第１、第２の扉体２２、２４に把手３０と指挿入用凹部３２とが左右対称に形成されていることから、右利きの人も左利きの人も、指を挿入する方向を一見して判断することが可能となる。
【００１４】
次に、図４〜図６を参照して第２の実施の形態について説明する。なお、第１の実施の形態と同様な箇所、部材には同一の符号を付してその説明を省略する。
第２の実施の形態では、把手の形状が第１の実施の形態と異なっている。
【００１５】
第２の実施の形態の把手構造も、第１、第２の扉体２２、２４にそれぞれ設けられた把手４０と指挿入用凹部４２とを備えている。
把手４０は、一方の端面部２２０２、２４０２側の外面２６Ａの箇所にそれぞれ設けられている。
各把手４０は、外面２６Ａの一方の端面部２２０２、２４０２の近傍から他方の端面部２２０４、２４０４に向けて突出しつつ上下に延在する指掛け用板片４４を備えている。すなわち一方の端面部２２０２、２４０２の外面２６Ａ側の端部から他方の端面部２２０４、２４０４に向けて突出しつつ上下に延在する指掛け用板片４４を備えている。
より詳細に説明すると、図６（Ｂ）に示すように、指掛け用板片４４の上下端部を除いた中間部は、第１、第２の扉体２２、２４の厚さ方向に一方の端面部２２０２、２４０２に沿って起立する起立板部４４０２と、起立板部４４０２の先端から屈曲し外面２６Ａから離れた箇所において外面２６Ａと平行し一定の幅Ｗで上下に延在する平行板部４４０４とを有している。
指掛け用板片４４の上下端部は、図６（Ａ）に示すように、外面２６Ａから次第に起立し外面２６Ａと起立板部４４０２、平行板部４４０４とを接続する接続板部４４０６で形成されている。なお、図４、図５において符号４４０６Ａは、接続板部４４０６が外面２６Ａから起立する始点の箇所を示している。
【００１６】
一方、指挿入用凹部４２は、第１、第２の扉体２２，２４の外面２６Ａに、指掛け用板片４４に対向するように形成されている。
指挿入用凹部４２の上下端部を除いた中間部において、指挿入用凹部４２側に位置する平行板部４４０４の内面４４０４Ａと指挿入用凹部４２の底面４２０２との間隔は、図６（Ｂ）に示すように、平行板部４４０４の内面４４０４Ａに指を挿入でき、平行板部４４０４の内面４４０４Ａに指を掛けられる寸法で形成されている。
指挿入用凹部４２の上下端部は、前記外面２６Ａから次第に窪み前記中間部に接続する形状で形成されている。なお、図中、符号４２Ａは、指挿入用凹部４２が外面２６Ａから窪み始める始点の箇所を示している。
そして、第１、第２の扉体２２，２４の外面２６Ａを正面視した場合に、指挿入用凹部４２は指掛け用板片４４の輪郭の外側の箇所まで形成されている。
【００１７】
把手４０と指挿入用凹部４２とは、一方の端面部２２０２、２４０２を中心として左右対称の形状で形成されている。
本実施の形態でも、図４（Ａ）、図５（Ｂ）に示すように、フロアから８０ｃｍから１００ｃｍの高さＨに、３０ｃｍから４０ｃｍの長さＬで把手４０および指挿入用凹部４２が形成されている。
【００１８】
本実施の形態によれば、二つ折り扉１８を構成する第１、第２の扉体２２、２４の双方に、把手４０と、把手４０の外側に拡がる指挿入用凹部４２とがそれぞれ設けられている。
したがって、把手４０を見つけやすいことは無論のこと、把手４０と指挿入用凹部４２とを見ただけで、把手４０に指を掛けて引くことが直感的に判断することが可能となる。
また、第１、第２の扉体２２，２４に把手４０と指挿入用凹部４２とが左右対称に形成されていることから、右利きの人も左利きの人も、指を挿入する方向を一見して判断することが可能となる。
【００１９】
なお、本実施の形態では、航空機の化粧室ユニット１０の出入口１４を開閉する二つ折り扉１８に適用した場合について説明したが、本発明において開口部１６は、出入口１４を含むことは無論のこと、クロゼットや収納棚の開口部を含む広い概念であり、開口部を開閉する二つ折り扉に広く適用される。
【符号の説明】
【００２０】
１０……化粧室ユニット、１２……躯体フレーム、１４……出入口、１８……二つ折り扉、２２……第１の扉体、２４……第２の扉体、２２０２、２２０４、２４０２、２４０４……端面部、２６Ａ……外面、３０、４０……把手、３２、４２……指挿入用凹部、３４、４４……指掛け用板片、３４０２……傾斜板部、３４０４……接続板部、４４０２……起立板部、４４０４……平行板部、４４０６……接続板部。
【図１】
2014033787.tif 000003
【図２】
2014033787.tif 000004
【図３】
2014033787.tif 000005
【図４】
2014033787.tif 000006
【図５】
2014033787.tif 000007
【図６】
2014033787.tif 000008
【国際調査報告】
2014033787.tif 000009
2014033787.tif 000010
2014033787.tif 000011
2014033787.tif 000012